(57)【特許請求の範囲】
【請求項１】
浴室内の空気を吸引する吸込口と、前記吸込口から吸引した空気を送風する循環送風路と、前記浴室内の空気を吸引または送風する循環ファンと、前記浴室内に空気を吹出する吹出口で構成された循環送風経路と、前記浴室以外の室内空間に開口した排気口から空気を吸引して室外に排気することで換気を行う換気用ファンを備えた換気送風経路と、冷媒を圧縮する圧縮機と前記循環送風経路内に設けられた第一熱交換器と冷媒を膨張させる膨張機構と前記換気送風経路内に設けられた第二熱交換器の順に冷媒が循環するように配管接続された冷媒回路で構成された換気空調装置において、前記第一熱交換器表面および前記第二熱交換器表面の水分を乾燥させる装置内乾燥運転機能を有し、空気を加湿する微細水滴を発生する手段としての微細水滴発生部を備え、前記微細水滴発生部により微細水滴を含む加湿空気が前記循環送風路内の空気に供給され、前記第一熱交換器により加熱されて浴室内に吹出し、浴室内を加湿暖房しサウナ環境にし入浴し、前記冷媒回路中に冷媒の循環方向を逆転させる流路切換弁を設け、前記流路切換弁の切り換えによる冷房運転により夏場の入浴後のクールダウンを行うことを特徴とする換気空調装置。
【請求項２】
浴室内の空調運転終了後に装置内乾燥運転を実行することを特徴とする請求項１記載の換気空調装置。
【請求項３】
予め設定された期間を過ぎると装置内乾燥運転を実行することを特徴とする請求項１または２に記載の換気空調装置。
【請求項４】
湿度を検知する湿度センサを備え、装置停止状態において、装置内に設けられた湿度センサがある設定値を超えると自動的に装置内乾燥運転を実行することを特徴とする請求項１乃至３のいずれかに記載の換気空調装置。
【請求項５】
使用者が任意に装置内乾燥運転を実行することができる装置内乾燥運転モードを有することを特徴とする請求項１乃至４のいずれかに記載の換気空調装置。
【請求項６】
湿度を検知する湿度センサを装置内に備えることで装置内を流通する空気の湿度を検知し、前記湿度センサにより検知された湿度があらかじめ設定された数値となれば装置内が乾燥されたとみなし運転を停止することを特徴とする請求項１乃至５のいずれかに記載の換気空調装置。
【請求項７】
第二熱交換器の上流側および下流側に湿度センサを備え、前記湿度センサにより前記第二熱交換器通過前後空気の湿度を検知し、その両者間の差異が設定範囲内であれば熱交換器が乾燥していると判断し運転を停止することを特徴とする請求項１乃至６のいずれかに記載の換気空調装置。
【請求項８】
第二熱交換器の下流側に温湿度センサを備え、前記温湿度センサにより前記第二熱交換器通過後空気の温湿度を検知し、その検知温湿度に従って予め設定された数値となれば装置内が乾燥されたとみなし運転を停止することを特徴とする請求項１乃至６のいずれかに記載の換気空調装置。
【請求項９】
第二熱交換器の上流側に温湿度センサを備え、前記温湿度センサにより前記第二熱交換器通過前空気の温湿度を検知し、その検知温湿度に従って予め設定された時間だけ装置内乾燥運転を行うことを特徴とする請求項１乃至６のいずれかに記載の換気空調装置。
【請求項１０】
熱交換器表面乾燥手段が加熱を利用した手段であることを特徴とする請求項１乃至９のいずれかに記載の換気空調装置。
【請求項１１】
冷媒回路中に設置された冷媒を膨張させる膨張機構を弁による構成とし、弁の開度を調整することで第二熱交換器を通過する冷媒の温度を上昇させ熱交換器表面を乾燥する手段として用いることを特徴とする請求項１乃至１０のいずれかに記載の換気空調装置。
【請求項１２】
乾燥対象となる熱交換器近傍に熱源としてヒータを備えて、熱交換器表面を乾燥する加熱手段として用いることを特徴とする請求項１乃至１０のいずれかに記載の換気空調装置。
【請求項１３】
熱交換器表面乾燥手段が送風機を用いた送風手段であることを特徴とする請求項１乃至９のいずれかに記載の換気空調装置。
【請求項１４】
換気用ファンを運転させることで、浴室以外の室内空間に開口した排気口から室外に乾燥対象となる熱交換器を介して空気を通風させることで乾燥させることを特徴とする請求項１乃至９または１３のいずれかに記載の換気空調装置。
【請求項１５】
換気用ファンを運転させることで、浴室内の空気を吸引する吸込口から室外に乾燥対象となる熱交換器を介して空気を通風させることで乾燥させることを特徴とする請求項１乃至９または１３のいずれかに記載の換気空調装置。
【請求項１６】
熱交換器表面乾燥手段が加熱を利用した手段と送風機を用いた送風手段の組み合わせであることを特徴とする請求項１乃至１５のいずれかに記載の換気空調装置。
【請求項１７】
熱交換器表面乾燥手段が加熱を利用した手段と送風機を用いた送風手段の組み合わせであり、装置内乾燥運転開始直後は送風機を用いた送風手段による乾燥のみであることを特徴とする請求項１乃至１６のいずれかに記載の換気空調装置。
【請求項１８】
熱交換器表面乾燥手段が加熱を利用した手段と送風機を用いた送風手段の組み合わせであり、装置内乾燥運転開始直後より前記加熱を利用した手段と前記送風機を用いた送風手段の両手段を用いて乾燥を行うことを特徴とする請求項１乃至１７のいずれかに記載の換気空調装置。
【発明の詳細な説明】
【技術分野】
【０００１】
本発明は、例えば、ヒートポンプなどを利用して浴室などの居住空間の換気空調を行う換気空調装置に関する。
【背景技術】
【０００２】
従来のヒートポンプを利用した浴室などの居住空間の換気空調を行う換気空調装置としては、浴室または脱衣所等に設置され、ヒートポンプの蒸発器と凝縮器を循環風路に備え、除湿した空気を室内に送風し、且つ必要な場合には循環風路とは別に構成された風路より換気することで換気のできるものがある（例えば特許文献１参照）。
【０００３】
また別の換気空調装置としては、ヒートポンプを室外機と室内機に分離し、室外機に設けた熱交換器において外気から吸熱（または放熱）を行い、室内機に設けた熱交換器において浴室の空気に放熱（または吸熱）することで浴室を空調するものもある（例えば、特許文献２参照）。
【特許文献１】特開２００３−３４３８９２号公報
【特許文献２】特開２００２−３４９９３０号公報
【発明の開示】
【発明が解決しようとする課題】
【０００４】
以上のようにヒートポンプを利用した浴室等の換気空調装置は、様々な形態のものが提案されている。特許文献１および特許文献２に例示される両者の換気空調装置は、冷凍サイクルの蒸発器で冷却除湿されてから凝縮器で加熱された循環空気によって室内および衣類を乾燥させるものである。特許文献１は空気に対して吸熱する側の熱交換器（蒸発器）と放熱する側の熱交換器（凝縮器）とが単一の装置内に一体となった形態であり、特許文献２はそれら両者が室内機側と室外機側に分離した形態となっている。それぞれ形態は異なる換気空調装置ではあるが、いずれの場合も循環空気の除湿工程で発生した結露水がトレイに貯留された後、排水ポンプにより装置外へと排水される構成となっている。しかし、除湿工程で発生した結露水がトレイに貯留されるためには、結露水発生部である吸熱する側の熱交換器からトレイに落下するまでのある程度の時間経過と、表面張力により熱交換器の表面に留まろうとする結露水をトレイに導くための空気の流通が必要であり、すなわち運転終了時には相当量の結露水が熱交換器表面に残留しているといった課題がある。そのため残水した水分はカビや雑菌、異臭の発生原となるため運転後に熱交換器表面を乾燥させる手段を備えることが望まれている。
【０００５】
本発明は上記従来の課題を解決するものであり、熱交換器を乾燥させることで、熱交換器表面に結露水等の水分が残存する状態を防止し、カビや雑菌、異臭の発生を抑制することのできる浴室換気空調装置を提供することを目的としている。
【課題を解決するための手段】
【０００６】
上記目的を達成するために本発明が講じた第一の解決手段は、浴室内の空気を吸引する吸込口と、前記吸込口から吸引した空気を送風する循環送風路と、前記浴室内の空気を吸引または送風する循環ファンと、前記浴室内に空気を吹出する吹出口で構成された循環送風経路と、前記浴室以外の室内空間に開口した排気口から空気を吸引して室外に排気することで換気を行う換気用ファンを備えた換気送風経路と、冷媒を圧縮する圧縮機と前記循環送風経路内に設けられた第一熱交換器と冷媒を膨張させる膨張機構と前記換気送風経路内に設けられた第二熱交換器の順に冷媒が循環するように配管接続された冷媒回路で構成された換気空調装置において、前記第一熱交換器表面および前記第二熱交換器表面の水分を乾燥させる装置内乾燥運転機能を有し、空気を加湿する微細水滴を発生する手段としての微細水滴発生部を備え、前記微細水滴発生部により微細水滴を含む加湿空気が前記循環送風路内の空気に供給され、前記第一熱交換器により加熱されて浴室内に吹出し、浴室内を加湿暖房しサウナ環境にし入浴し、前記冷媒回路中に冷媒の循環方向を逆転させる流路切換弁を設け、前記流路切換弁の切り換えによる冷房運転により夏場の入浴後のクールダウンを行うこととしたものである。
【０００７】
この手段により、浴室内を加湿暖房しサウナ環境にし入浴し、冷房運転により夏場の入浴後のクールダウンを行うことができる。熱交換器を乾燥させることで、熱交換器表面に結露水等の水分が残存する状態を防止し、カビや雑菌、異臭の発生を抑制することのできる換気空調装置が得られる。加湿暖房運転により、浴室内を高温高湿なサウナ環境にすることができる。新たな熱源となる構成部品を設置する必要が無くなり、冷媒回路中に冷媒の循環方向を逆転させる弁を設ける対処のみで、熱交換器表面を乾燥する加熱手段として、乾燥対象となる側の熱交換器を放熱する側の熱交換器に切り換えることが可能な換気空調装置が得られる。
【０００８】
また、本発明が講じた第二の解決手段は、浴室内の空調運転終了後に装置内乾燥運転を実行することとしたものである。
【０００９】
この手段により、運転後の装置内に多量の結露水が残存している状態のまま放置することなく直ぐに熱交換器を乾燥させることで、カビや雑菌、異臭の発生を抑制することのできる換気空調装置が得られる。
【００１０】
また、本発明が講じた第三の解決手段は、予め設定された期間を過ぎると装置内乾燥運転を実行することとしたものである。
【００１１】
この手段により、長期間使用していない状態において極少量ながらも蓄積している熱交換器表面の汚れや雑菌、カビなどに関しても定期的に装置内乾燥運転することで対処することができ、カビや雑菌、異臭の発生を抑制することのできる換気空調装置が得られる。
【００１２】
また、本発明が講じた第四の解決手段は、湿度を検知する湿度センサを備え、装置停止状態において、装置内に設けられた湿度センサがある設定値を超えると自動的に装置内乾燥運転を実行することとしたものである。
【００１３】
この手段により、浴槽への湯張りやシャワー入浴時の蒸気により装置内に発生した熱交換器表面の結露水に関しても、熱交換器を乾燥させることで、カビや雑菌、異臭の発生を抑制することのできる換気空調装置が得られる。
【００１４】
また、本発明が講じた第五の解決手段は、使用者が任意に装置内乾燥運転を実行することができる装置内乾燥運転モードを有することとしたものである。
【００１５】
この手段により、使用者が気になった状態時に任意に熱交換器を乾燥させることで、カビや雑菌、異臭の発生を抑制することのできる換気空調装置が得られる。
【００１６】
また、本発明が講じた第六の解決手段は、湿度を検知する湿度センサを装置内に備えることで装置内を流通する空気の湿度を検知し、前記湿度センサにより検知された湿度があらかじめ設定された数値となれば装置内が乾燥されたとみなし運転を停止することとしたものである。
【００１７】
この手段により、装置内の湿度環境を即時に検知することができるため、熱交換器の乾燥度合いを制御することが可能となる。つまり、装置内乾燥運転を必要とする環境と判断すれば運転を開始し、熱交換器表面が乾燥されたと判断すれば自動的に運転を停止するような制御が可能な換気空調装置が得られる。
【００１８】
また、本発明が講じた第七の解決手段は、第二熱交換器の上流側および下流側に湿度センサを備え、前記湿度センサにより前記第二熱交換器通過前後空気の湿度を検知し、その両者間の差異が設定範囲内であれば熱交換器が乾燥していると判断し運転を停止することとしたものである。
【００１９】
この手段により、熱交換器通過前後の湿度環境を即時に検知することができるため、熱交換器の乾燥度合いを制御することが可能な換気空調装置が得られる。
【００２０】
また、本発明が講じた第八の解決手段は、第二熱交換器の下流側に温湿度センサを備え、前記温湿度センサにより前記第二熱交換器通過後空気の温湿度を検知し、その検知温湿度に従って予め設定された数値となれば装置内が乾燥されたとみなし運転を停止することとしたものである。
【００２１】
この手段により、熱交換器通過後の空気の温湿度環境を即時に検知することができるため、熱交換器の乾燥度合いを制御することが可能となる。また、この手段によれば、装置内乾燥運転の制御のために必要とする温湿度センサは単一の設置となるため、構成部品点数を少なくすることが可能な換気空調装置が得られる。
【００２２】
また、本発明が講じた第九の解決手段は、第二熱交換器の上流側に温湿度センサを備え、前記温湿度センサにより前記第二熱交換器通過前空気の温湿度を検知し、その検知温湿度に従って予め設定された時間だけ装置内乾燥運転を行うこととしたものである。
【００２３】
この手段により、熱交換器通過前の空気の温湿度環境を即時に検知することができるため、熱交換器の乾燥度合いを制御することが可能となる。また、この手段によれば、装置内乾燥運転の制御のために必要とする温湿度センサは単一の設置となるため、構成部品点数を少なくすることが可能な換気空調装置が得られる。
【００２４】
また、本発明が講じた第十の解決手段は、熱交換器表面乾燥手段が加熱を利用した手段であることとしたものである。
【００２５】
この手段により、熱交換器表面に残存する結露水に対して、熱による蒸発を促進した乾燥が可能となるため、空気の流通では届き難い箇所に残存した結露水に関しても十分に乾燥させることが可能となる。また、この手段によれば、熱交換器表面の着霜を除去するための除霜運転にも活用することが可能な換気空調装置が得られる。
【００２８】
また、本発明が講じた第十一の解決手段は、冷媒回路中に設置された冷媒を膨張させる膨張機構を弁による構成とし、弁の開度を調整することで第二熱交換器を通過する冷媒の温度を上昇させ熱交換器表面を乾燥する手段として用いることとしたものである。
【００２９】
この手段により、新たな熱源となる構成部品を設置する必要が無くなり、冷媒を膨張させる膨張弁の開度調整のみで、熱交換器表面を乾燥する加熱手段として、第二熱交換器を通過する冷媒温度を上昇させることが可能な換気空調装置が得られる。
【００３０】
また、本発明が講じた第十二の解決手段は、乾燥対象となる熱交換器近傍に熱源としてヒータを備えて、熱交換器表面を乾燥する加熱手段として用いることとしたものである。
【００３１】
この手段により、熱交換器表面において乾燥しにくい箇所の近傍にヒータを設置することで、効率の良い熱交換器表面の乾燥が可能な換気空調装置が得られる。
【００３２】
また、本発明が講じた第十三の解決手段は、熱交換器表面乾燥手段が送風機を用いた送風手段であることとしたものである。
【００３３】
この手段により、乾燥のための新たな構成部品を必要とせず、空気の循環経路を考慮するのみで熱交換器表面の乾燥を行うことが可能となる。また、加熱手段による乾燥において発生する水分が蒸発する差異の臭気や、残存する水分中のスケール成分の付着といった問題を回避することが可能な換気空調装置が得られる。
【００３４】
また、本発明が講じた第十四の解決手段は、換気用ファンを運転させることで、浴室以外の室内空間に開口した排気口から室外に乾燥対象となる熱交換器を介して空気を通風させることで乾燥させることとしたものである。
【００３５】
この手段により、暖房運転時と同様の空気流通経路といった簡易的な構成での熱交換器表面の乾燥が可能となる。また、熱交換器を通過する空気が浴室以外の室外空間であるため、安定した温湿度の空気を熱交換器に通過させることが可能な換気空調装置が得られる。
【００３６】
また、本発明が講じた第十五の解決手段は、換気用ファンを運転させることで、浴室内の空気を吸引する吸込口から室外に乾燥対象となる熱交換器を介して空気を通風させることで乾燥させることとしたものである。
【００３７】
この手段により、例えば浴室内を暖房運転した後の装置内乾燥運転であれば、熱交換器を通過させる空気は高温低湿であるため、乾燥時間の短縮化を図ることが可能な換気空調装置が得られる。
【００３８】
また、本発明が講じた第十六の解決手段は、熱交換器表面乾燥手段が加熱を利用した手段と送風機を用いた送風手段の組み合わせであることとしたものである。
【００３９】
この手段により、乾燥時間の短縮化を図ることが可能な換気空調装置が得られる。
【００４０】
また、本発明が講じた第十七の解決手段は、熱交換器表面乾燥手段が加熱を利用した手段と送風機を用いた送風手段の組み合わせであり、装置内乾燥運転開始直後は送風機を用いた送風手段による乾燥のみであることとしたものである。
【００４１】
この手段により、熱交換器表面に結露水がまだ多く残存してる装置内乾燥運転開始直後の段階においては送風手段による乾燥のみとし、ある程度結露水の残存量が減少した後に加熱手段も組み合わせた乾燥方法とすることにより、加熱手段による乾燥運転時に必要とする消費電力を軽減することで、運転の省電力化を図ることが可能な換気空調装置が得られる。
【００４２】
また、本発明が講じた第十八の解決手段は、熱交換器表面乾燥手段が加熱を利用した手段と送風機を用いた送風手段の組み合わせであり、装置内乾燥運転開始直後より前記加熱を利用した手段と前記送風機を用いた送風手段の両手段を用いて乾燥を行うことをとしたものである。
【００４３】
この手段により、乾燥時間の短縮化を図ることが可能な換気空調装置が得られる。
【発明の効果】
【００４４】
本発明の換気空調装置によれば、浴室内を加湿暖房しサウナ環境にし入浴し、冷房運転により夏場の入浴後のクールダウンを行うことができる。加湿暖房運転により、浴室内を高温高湿なサウナ環境にすることができる。熱交換器を乾燥させることで、熱交換器表面に結露水等の水分が残存する状態を防止し、カビや雑菌、異臭の発生を抑制することのできる。
【発明を実施するための最良の形態】
【００４５】
本発明の請求項１記載の発明は、浴室内の空気を吸引する吸込口と、前記吸込口から吸引した空気を送風する循環送風路と、前記浴室内の空気を吸引または送風する循環ファンと、前記浴室内に空気を吹出する吹出口で構成された循環送風経路と、前記浴室以外の室内空間に開口した排気口から空気を吸引して室外に排気することで換気を行う換気用ファンを備えた換気送風経路と、冷媒を圧縮する圧縮機と前記循環送風経路内に設けられた第一熱交換器と冷媒を膨張させる膨張機構と前記換気送風経路内に設けられた第二熱交換器の順に冷媒が循環するように配管接続された冷媒回路で構成された換気空調装置において、前記第一熱交換器表面および前記第二熱交換器表面の水分を乾燥させる装置内乾燥運転機能を有し、空気を加湿する微細水滴を発生する手段としての微細水滴発生部を備え、前記微細水滴発生部により微細水滴を含む加湿空気が前記循環送風路内の空気に供給され、前記第一熱交換器により加熱されて浴室内に吹出し、浴室内を加湿暖房しサウナ環境にし入浴し、前記冷媒回路中に冷媒の循環方向を逆転させる流路切換弁を設け、前記流路切換弁の切り換えによる冷房運転により夏場の入浴後のクールダウンを行うこととしたものであり、この手段により、浴室内を加湿暖房しサウナ環境にし入浴し、冷房運転により夏場の入浴後のクールダウンを行うことができる。熱交換器を乾燥させることで、熱交換器表面に結露水等の水分が残存する状態を防止し、カビや雑菌、異臭の発生を抑制することができる。加湿暖房運転により、浴室内を高温高湿なサウナ環境にすることができる。新たな熱源となる構成部品を設置する必要が無くなり、冷媒回路中に冷媒の循環方向を逆転させる弁を設ける対処のみで、熱交換器表面を乾燥する加熱手段として、乾燥対象となる側の熱交換器を放熱する側の熱交換器に切り換えることができる。
【００４６】
本発明の請求項２記載の発明は、浴室内の空調運転終了後に装置内乾燥運転を実行することとしたものであり、この手段により、運転後の装置内に多量の結露水が残存している状態のまま放置することなく直ぐに熱交換器を乾燥させることで、カビや雑菌、異臭の発生を抑制することができる。
【００４７】
本発明の請求項３記載の発明は、予め設定された期間を過ぎると装置内乾燥運転を実行することとしたものであり、この手段により、長期間使用していない状態において極少量ながらも蓄積している熱交換器表面の汚れや雑菌、カビなどに関しても定期的に装置内乾燥運転することで対処することができ、カビや雑菌、異臭の発生を抑制することができる。
【００４８】
本発明の請求項４記載の発明は、湿度を検知する湿度センサを備え、装置停止状態において、装置内に設けられた湿度センサがある設定値を超えると自動的に装置内乾燥運転を実行することとしたものであり、この手段により、浴槽への湯張りやシャワー入浴時の蒸気により装置内に発生した熱交換器表面の結露水に関しても、熱交換器を乾燥させることで、カビや雑菌、異臭の発生を抑制することができる。
【００４９】
本発明の請求項５記載の発明は、使用者が任意に装置内乾燥運転を実行することができる装置内乾燥運転モードを有することとしたものであり、この手段により、使用者が気になった状態時に任意に熱交換器を乾燥させることで、カビや雑菌、異臭の発生を抑制することができる。
【００５０】
本発明の請求項６記載の発明は、湿度を検知する湿度センサを装置内に備えることで装置内を流通する空気の湿度を検知し、前記湿度センサにより検知された湿度があらかじめ設定された数値となれば装置内が乾燥されたとみなし運転を停止することとしたものであり、この手段により、装置内の湿度環境を即時に検知することができるため、熱交換器の乾燥度合いを制御することが可能となる。つまり、装置内乾燥運転を必要とする環境と判断すれば運転を開始し、熱交換器表面が乾燥されたと判断すれば自動的に運転を停止するような制御が可能となる。
【００５１】
本発明の請求項７記載の発明は、第二熱交換器の上流側および下流側に湿度センサを備え、前記湿度センサにより前記第二熱交換器通過前後空気の湿度を検知し、その両者間の差異が設定範囲内であれば熱交換器が乾燥していると判断し運転を停止することとしたものであり、この手段により、熱交換器通過前後の湿度環境を即時に検知することができるため、熱交換器の乾燥度合いを制御することができる。
【００５２】
本発明の請求項８記載の発明は、第二熱交換器の下流側に温湿度センサを備え、前記温湿度センサにより前記第二熱交換器通過後空気の温湿度を検知し、その検知温湿度に従って予め設定された数値となれば装置内が乾燥されたとみなし運転を停止することとしたものであり、この手段により、熱交換器通過後の空気の温湿度環境を即時に検知することができるため、熱交換器の乾燥度合いを制御することが可能となる。また、この手段によれば、装置内乾燥運転の制御のために必要とする温湿度センサは単一の設置となるため、構成部品点数を少なくすることができる。
【００５３】
本発明の請求項９記載の発明は、第二熱交換器の上流側に温湿度センサを備え、前記温湿度センサにより前記第二熱交換器通過前空気の温湿度を検知し、その検知温湿度に従って予め設定された時間だけ装置内乾燥運転を行うこととしたものであり、この手段により、熱交換器通過前の空気の温湿度環境を即時に検知することができるため、熱交換器の乾燥度合いを制御することが可能となる。また、この手段によれば、装置内乾燥運転の制御のために必要とする温湿度センサは単一の設置となるため、構成部品点数を少なくすることができる。
【００５４】
本発明の請求項１０記載の発明は、熱交換器表面乾燥手段が加熱を利用した手段であることとしたものであり、この手段により、熱交換器表面に残存する結露水に対して、熱による蒸発を促進した乾燥が可能となるため、空気の流通では届き難い箇所に残存した結露水に関しても十分に乾燥させることが可能となる。また、この手段によれば、熱交換器表面の着霜を除去するための除霜運転にも活用することができる。
【００５６】
本発明の請求項１１記載の発明は、冷媒回路中に設置された冷媒を膨張させる膨張機構を弁による構成とし、弁の開度を調整することで第二熱交換器を通過する冷媒の温度を上昇させ熱交換器表面を乾燥する手段として用いることとしたものであり、この手段により、新たな熱源となる構成部品を設置する必要が無くなり、冷媒を膨張させる膨張弁の開度調整のみで、熱交換器表面を乾燥する加熱手段として、第二熱交換器を通過する冷媒温度を上昇させることができる。
【００５７】
本発明の請求項１２記載の発明は、乾燥対象となる熱交換器近傍に熱源としてヒータを備えて、熱交換器表面を乾燥する加熱手段として用いることとしたものであり、この手段により、熱交換器表面において乾燥しにくい箇所の近傍にヒータを設置することで、効率の良い熱交換器表面を乾燥できる。
【００５８】
本発明の請求項１３記載の発明は、熱交換器表面乾燥手段が送風機を用いた送風手段であることとしたものであり、この手段により、乾燥のための新たな構成部品を必要とせず、空気の循環経路を考慮するのみで熱交換器表面の乾燥を行うことが可能となる。また、加熱手段による乾燥において発生する水分が蒸発する差異の臭気や、残存する水分中のスケール成分の付着といった問題を回避することができる。
【００５９】
本発明の請求項１４記載の発明は、換気用ファンを運転させることで、浴室以外の室内空間に開口した排気口から室外に乾燥対象となる熱交換器を介して空気を通風させることで乾燥させることとしたものであり、この手段により、暖房運転時と同様の空気流通経路といった簡易的な構成での熱交換器表面の乾燥が可能となる。また、熱交換器を通過する空気が浴室以外の室外空間であるため、安定した温湿度の空気を熱交換器に通過させることができる。
【００６０】
本発明の請求項１５記載の発明は、換気用ファンを運転させることで、浴室内の空気を吸引する吸込口から室外に乾燥対象となる熱交換器を介して空気を通風させることで乾燥させることとしたものであり、この手段により、例えば浴室内を暖房運転した後の装置内乾燥運転であれば、熱交換器を通過させる空気は高温低湿であるため、乾燥時間の短縮化を図ることができる。
【００６１】
本発明の請求項１６記載の発明は、熱交換器表面乾燥手段が加熱を利用した手段と送風機を用いた送風手段の組み合わせであることとしたものであり、この手段により、乾燥時間の短縮化を図ることができる。
【００６２】
本発明の請求項１７記載の発明は、熱交換器表面乾燥手段が加熱を利用した手段と送風機を用いた送風手段の組み合わせであり、装置内乾燥運転開始直後は送風機を用いた送風手段による乾燥のみであることとしたものであり、この手段により、熱交換器表面に結露水がまだ多く残存してる装置内乾燥運転開始直後の段階においては送風手段による乾燥のみとし、ある程度結露水の残存量が減少した後に加熱手段も組み合わせた乾燥方法とすることにより、加熱手段による乾燥運転時に必要とする消費電力を軽減することで、運転の省電力化を図ることができる。
【００６３】
本発明の請求項１８記載の発明は、熱交換器表面乾燥手段が加熱を利用した手段と送風機を用いた送風手段の組み合わせであり、装置内乾燥運転開始直後より前記加熱を利用した手段と前記送風機を用いた送風手段の両手段を用いて乾燥を行うことをとしたものであり、この手段により、乾燥時間の短縮化を図ることができる。
【００６４】
以下、本発明の実施の形態について図面を参照しながら説明する。
【００６５】
（実施の形態１）
以下、本発明の実施の形態１について図面を参照しながら説明する。まず、本発明における換気空調装置が設置される移住空間について説明する。
【００６６】
図１は本発明の実施の形態１における換気空調装置が設置される移住空間の見取り図である。図１において、居住空間１は、リビング２、浴室３、脱衣室４、トイレ５などに区画されており、浴室３の天井裏には、換気空調装置６が設置されている。この換気空調装置６には、換気空調装置６と屋外を連通する屋外排気ダクト７、脱衣室４の天井に開口した排気口Ａ８と換気空調装置６とを連通する排気ダクトＡ９およびトイレ５の天井に開口した排気口Ｂ１０と換気空調装置６とを連通する排気ダクトＢ１１が接続されている。また、換気空調装置６内部には換気用シロッコファン１２が配設されており、屋外と換気空調装置６を連通する屋外排気ダクト７は換気用シロッコファン１２の吹出側に接続され、脱衣室４と換気空調装置６を連通する排気ダクトＡ９およびトイレ５と換気空調装置６を連通する排気ダクトＢ１１は換気用シロッコファン１２の吸込側に接続されている。
【００６７】
したがって換気用シロッコファン１２を運転すると、排気口Ａ８および排気口Ｂ１０から排気ダクトＡ９および排気ダクトＢ１１を通じて脱衣室４およびトイレ５の空気が換気用シロッコファン１２に吸い込まれ、屋外排気ダクト７を通じて屋外に排出される。そして換気用シロッコファン１２を連続運転すると居住空間１内が負圧になるため、リビング２の屋外に面した壁に開口した給気口１３から新鮮な外気が給気されて居住空間１が換気されることになる。この換気運転は建物の気密性が高い場合は連続して行う必要があるため（２４時間換気）、換気用シロッコファン１２は所定の換気量、例えば一時間で居住空間１の約半分の容積に相当する換気量を確保するように連続運転を行う。また、リビング２には部屋の温度をコントロールするための空調機１４が設置されており、夏場は冷房運転、冬場は暖房運転を行って室温を適正に保持している。したがって前述したように年間を通じて連続した換気運転を行っていると、夏場はリビング２において空調機１４で冷房された低温の空気、冬場は空調機１４で暖房された高温の空気が脱衣室４のドアＡ１５およびトイレ５のドアＢ１６のガラリやアンダーカット部分を通じて排気口Ａ８および排気口Ｂ１０に吸い込まれ、換気空調装置６を介して屋外に排出されることになる。
【００６８】
図２は、本発明の実施の形態１における換気空調装置の概略構成を示す概略図である。図に示すようにこの換気空調装置６は、外郭を形成する外装体１７およびフロントパネル１８、外装体１７内に設けられた循環送風経路１９、換気送風経路２０および冷媒回路２１、外装体１７の一面に設けられ、換気送風経路２０と連通する開口部２２に接続された換気ユニット２３、またこれらを制御する制御装置２４から構成されている。以下にそれぞれの具体的な構成について記す。
【００６９】
図３に示すように外装体１７の浴室側一面を形成するフロントパネル１８は、浴室３内の空気を吸込むための吸込口２５、浴室内循環空気を外装体１７の外部に吹出すための吹出口２６を備えている。また、吸込口２５の外装体１７側にはフィルタ２７を備えており、浴室内空気を循環させる際に微細な塵や埃の侵入を防止する構造となっている。また、吹出口２６部には加熱された空気の吹出方向を可変させるための吹出口ルーバ２８が設けられており、吹出口ルーバ２８は制御装置２４（図３中には図示せず）に接続された吹出口ルーバ駆動用モータ２９により自在に稼動することで任意の方向に吹出方向を可変させることができる。
【００７０】
図４に示す換気ユニット２３は、制御装置２４（図４中には図示せず）により回転数を自在に変更可能な換気ファン駆動用モータ３０に接続された換気用シロッコファン１２の吸込側に接続され、脱衣室４と連通している排気ダクトＡ９に連結する浴室外側吸込口Ａ３１およびトイレ５と連通している排気ダクトＢ１１に連結する浴室外側吸込口Ｂ３２、換気用シロッコファン１２の吹出側に接続され、屋外へ連通している屋外排気ダクト７に連結する浴室外側吹出口３３から構成されている。また、外装体１７との接続面には換気ユニット側吸込口３４と連結する外装体側吹出口３５と換気ユニット側吹出口３６と連結する外装体側吸込口３７が設けられており、換気用シロッコファン１２の吸込側に外装体側吸込口３７を備え、外装体１７内の換気送風路（図４中には図示せず）を介して外装体側吹出口３５を備える風路構成となっている。
【００７１】
浴室外側吸込口Ａ３１および浴室外側吸込口Ｂ３２から吸引した空気を外装体１７内に流通させることなく換気する場合には、外装体側吸込口３７部に備えられた外装体側吸込部ダンパ３８および外装体側吹出口３５部に備えられた外装体側吹出部ダンパ３９を閉塞した風路構成に設定し、換気用シロッコファン１２を運転する。他室より吸引した空気を外装体１７を介して排気する場合には、外装体側吸込口３７部に備えられた外装体側吸込部ダンパ３８および外装体側吹出口３５部に備えられた外装体側吹出部ダンパ３９を開口した風路構成に設定し、換気用シロッコファン１２を運転する。換気量の調整は各ダンパの開口面積の変更及び換気用シロッコファン１２の回転数制御により行い、これらの組み合わせにより必要とする換気量を実現するものとする。
【００７２】
図５は本発明の実施の形態における換気空調装置の風路構成図及び冷媒回路図である。図に示すように外装体１７内には、フロントパネル１８の吸込口２５および吹出口２６を連結する図中に黒矢印で示す循環送風路４０が設けられており、循環送風路４０内に備えられた、制御装置２４（図５中には図示せず）により回転数を自在に変更可能な循環ファン駆動用モータ４１に接続された送風手段としての循環用シロッコファン４２が回転することで循環送風路４０内に空気を送風する。外装体１７の換気ユニット２３連結側の面には換気ユニット側吸込口３４および換気ユニット側吹出口３６を形成しており、それぞれ換気ユニット２３側の外装体側吹出口３５、外装体側吸込口３７と連結する構成となっているため、換気ユニット２３に備えられた換気用シロッコファン１２を起動させることにより、換気ユニット側吸込口３４と換気ユニット側吹出口３６を連通する図中に白矢印で示す換気送風路４３内に空気を送風する。また、外装体１７内には風路構成を可変するためのダンパが複数設けられており、運転動作に沿った風路構成になるべく各ダンパを所望の開度に開閉することとする。
【００７３】
また、外装体１７内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路２１を形設しており、この冷媒回路２１中に、冷媒を圧縮する圧縮機４４、供給空気と冷媒とを熱交換させる第一熱交換器４５、冷媒を膨張させる電子式膨張弁からなる膨張機構４６、供給空気と冷媒とを熱交換させる第二熱交換器４７を介設している。この冷媒回路２１中を、圧縮機４４で圧縮された冷媒が第一熱交換器４５、膨張機構４６、第二熱交換器４７の順に流れて再び圧縮機４４に戻る。また、この冷媒回路２１には、圧縮機４４で圧縮された冷媒が第一熱交換器４５、膨張機構４６、第二熱交換器４７の順に流れて再び圧縮機４４に戻る経路（以下、順サイクル）と、圧縮機４４で圧縮された冷媒が第二熱交換器４７、膨張機構４６、第一熱交換器４５の順に流れて再び圧縮機４４に戻る経路（以下、逆サイクル）とを切り換えるための四方弁からなる流路切換弁４８が介設されている。
【００７４】
次に換気空調装置の各運転動作について順に説明する。
【００７５】
まず始めに換気運転時の動作に関して説明する。換気運転は居住空間１の必要換気量を確保するために２４時間連続して運転を実行する動作であり、この運転時は換気用シロッコファン１２を必要換気量が確保可能な程度の低回転数で運転し、その際の風路構成は図６に示すように風路構成ダンパＡ４９を閉鎖、風路構成ダンパＢ５０を開放、風路構成ダンパＣ５１を開放、外装体側吸込部ダンパ３８を開放、外装体側吹出部ダンパ３９を閉鎖で設定することにより、浴室３内の空気を屋外排気ダクト７より屋外に排気する。この際に、外装体側吹出部ダンパ３９を開放することで換気ユニット２３と連通している脱衣室４やトイレ５の換気も同時に行うことが可能となり、この排出量に相当する新鮮な外気がリビング２に開口した給気口１３から取り入れられて排出空気と入れ替わることにより居住空間１の換気が行われることとなる。
【００７６】
次に浴室３内暖房運転時の動作に関して説明する。暖房運転は、冬場等の気温の低い季節において、入浴前に浴室３内を暖房しておくことでヒートショックを軽減する入浴前予備暖房の目的や、浴室３の洗い場で体を洗う際に入浴者が寒さを感じずに快適に入浴できるように暖房する場合に実行する動作である。
【００７７】
その際の風路構成は、図７に示すように風路構成ダンパＡ４９を閉鎖、風路構成ダンパＢ５０を開放、風路構成ダンパＣ５１を閉鎖、外装体側吸込部ダンパ３８を開放、外装体側吹出部ダンパ３９を開放で設定することにより、第一熱交換器４５は、循環送風路４０内に配設され、第二熱交換器４７は換気送風路４３内に配設される。このため、圧縮機４４を順サイクル運転させることで冷媒回路２１内の冷媒を循環させ、換気用シロッコファン１２を運転することにより換気送風路４３を通過する空気に対して第二熱交換器４７において冷媒が吸熱を行い、循環用シロッコファン４２を運転することにより循環送風路４０を介して浴室３内を循環する空気に対して第一熱交換器４５において冷媒が放熱を行う。この放熱により空気が加熱されて吹出口２６から浴室３内に吹出す。このような運転動作を行うことにより高温の空気を吹出すことが可能となり、浴室３内の温度が上昇することで浴室３内を暖房することができる。
【００７８】
また、冬場の外気温が非常に低い条件では、換気用シロッコファン１２により第二熱交換器４７に供給される脱衣室４およびトイレ５の空気の温度も低くなるため、上述した暖房運転実行中に第二熱交換器４７に霜が付着する着霜現象が生じる。この着霜状態を放置しておくと第二熱交換器４７における吸熱能力の低下に伴い、第一熱交換器４５の放熱量が減少して浴室３が十分に暖房できないという問題が発生する。このような問題を抑制するため、暖房運転中に第二熱交換器４７の冷媒配管の温度を監視し、その温度が所定値以下に低下した段階で第二熱交換器４７に付着した霜を除去する除霜運転を実行する必要がある。
【００７９】
その除霜運転時の運転動作について次に説明する。暖房運転中の除霜運転を実行する場合は、まず循環用シロッコファン４２と換気用シロッコファン１２の両者の運転を停止し、流路切換弁４８の設定を順サイクルから逆サイクルに切り換える。この設定を行うことにより、圧縮機４４で圧縮された高温高圧の冷媒が逆サイクル側に切り換えられた流路切換弁４８を通り第二熱交換器４７に導かれる。この高温冷媒が第二熱交換器４７の冷媒配管を流れることにより配管温度が上昇し表面に付着した霜が溶解する。溶解した霜は結露水５２となり貯水部５３に滴下し貯留する。一方、第二熱交換器４７で放熱して霜を溶かした冷媒は、膨張機構４６、第一熱交換器４５を順に流れて圧縮機４４に戻り冷媒回路２１を循環する。この除霜運転を継続することにより第二熱交換器４７に付着した霜が溶けきり配管温度が上昇していく。この配管温度を継続的に監視し、配管温度が所定値以上（例えば３℃）に上昇した段階で除霜運転から暖房運転に再び切り換えることとする。これにより低温時の極端な加熱能力低下を抑制して十分な予備暖房を行うことが可能となる。なお、この除霜運転は暖房運転中のみの対策といった訳ではなく、各運転動作において第二熱交換器４７に霜が付着した際には、この動作を運転することで課題を解決することができる。
【００８０】
次に浴室３内除湿運転時の動作に関して説明する。除湿運転は、入浴後等にカビ抑制のため浴室３を除湿する場合や、浴室３内に洗濯物を干して乾かす衣類乾燥を行う場合に実行する動作である。
【００８１】
その際の風路構成は、図８に示すように風路構成ダンパＡ４９を開放、風路構成ダンパＢ５０を閉鎖、風路構成ダンパＣ５１を開放、外装体側吸込部ダンパ３８を閉鎖、外装体側吹出部ダンパ３９を閉鎖で設定することにより、第一熱交換器４５は、循環送風路４０内に配設され、第二熱交換器４７は循環送風路４０内と換気送風路４３内の両者に介する位置に配設される。このため、圧縮機４４を順サイクル運転させることで冷媒回路２１内の冷媒を循環させ、循環用シロッコファン４２を運転することにより循環送風路４０を介して浴室３内を循環する空気に対してまず始めに通過する第二熱交換器４７において冷媒が吸熱を行い、次いで第一熱交換器４５を通過する際には冷媒が放熱を行う。浴室３内循環空気が第二熱交換器４７を通過する際には冷媒より吸熱されるため空気の温度が低下し、空気の水分が第二熱交換器４７表面に結露することで空気中の湿度が下がる。ここで第二熱交換器４７表面に結露した水滴はドレン水となり貯水部５３に滴下し貯留する。低湿度となった空気は次に通過する第一熱交換器４５において冷媒より放熱されるため、この放熱により高温低湿となった空気が吹出口２６から浴室３内に吹出す。このような運転動作を行うことにより高温低湿の空気を吹出すことが可能となり、浴室３内の温度が上昇し、湿度が低下することで浴室３内を除湿することができる。衣類乾燥を行う際には浴室３内に干した洗濯物に対して高温低湿の空気が直接当たる風向とすることで、洗濯物からの水分蒸発を促し短時間での衣類乾燥を実現することとなる。
【００８２】
なお、上記においては除湿運転時に換気送風路を閉鎖し室外への空気の排出を行わない風路構成としたが、浴室３内を所望の低湿度空間にできるのであれば、換気用シロッコファン１２を低回転で運転し且つ換気送風路を開放することにより浴室３内空気を換気しながら除湿運転をする構成にしても、その作用効果に差異を生じず、望ましくは新鮮な空気を取り入れえるために多少なりとも換気しながら除湿運転を行う構成である。
【００８３】
次に浴室３内加湿暖房運転時の動作に関して説明する。加湿暖房運転は、浴室３内を高温高湿なサウナ環境にする場合に実行する動作である。
【００８４】
その際の風路構成は、図９に示すように風路構成ダンパＡ４９を閉鎖、風路構成ダンパＢ５０を開放、風路構成ダンパＣ５１を閉鎖、外装体側吸込部ダンパ３８を開放、外装体側吹出部ダンパ３９を開放で設定することにより、第一熱交換器４５は、循環送風路４０内に配設され、第二熱交換器４７は換気送風路４３内に配設される。このため、圧縮機４４を順サイクル運転させることで冷媒回路２１内の冷媒を循環させ、換気用シロッコファン１２を運転することにより換気送風路４３を通過する空気に対して第二熱交換器４７において冷媒が吸熱を行い、循環用シロッコファン４２を運転することにより循環送風路４０を介して浴室３内を循環する空気に対して第一熱交換器４５において冷媒が放熱を行う。空気を加湿する微細水滴を発生する手段としては微細水滴発生部５４を外装体１７内に設ける。以下に微細水滴発生部５４の具体的な構成について説明する。
【００８５】
図１０に示す微細水滴発生部５４内には、微細水滴発生部吸込口５５と微細水滴発生部吹出口５６を連通する微細水滴発生部送風路５７が設けられており、微細水滴発生部送風路５７の微細水滴発生部吸込口５５側に備えられた、制御装置２４（図１０中には図示せず）により回転数を自在に変更可能な微細水滴発生部ファン駆動用モータ５８に接続された送風手段としての微細水滴発生部シロッコファン５９が回転することで微細水滴発生部５４内に空気を送風する。微細水滴発生部シロッコファン５９の下流側には加熱手段としての空気加熱用の熱交換器であるＰＴＣヒータ６０を備えており、このＰＴＣヒータ６０を通って外装体１７から流入する空気が加温され、高温の空気を送風することが可能となる。微細水滴発生部送風路５７内の微細水滴発生部シロッコファンの下流側には噴霧ノズル６１が設けられており、この噴霧ノズル６１に加湿用給水を供給するための加湿用給水管６２より温水（例えば４０〜８０℃）を供給し、供給された温水を噴霧ノズル６１から微細な水滴として噴霧する。噴霧された微細水滴は微細水滴発生部５４壁面に衝突することによって更に微細化される。ここで微細な水滴（例えば水滴径１００μｍ以下）に関しては送風する空気とともに微細水滴発生部吹出口５６より循環送風路４０に吹出され、浴室内循環空気に供給され、微細な水滴に破砕することができなかった水滴に関しては、余剰水６４として貯水部５３へと向かう。送風空気とともに運ばれる微細な水滴の中でも、比較的水滴径が大なる水滴（例えば水滴径１０〜１００μｍ）に関しては微細水滴発生部送風路５７の微細水滴発生部吹出口５６側に設けられた水滴回収手段としての気液分離部６３で回収され、余剰水６４となり貯水部５３へと向かう。気液分離部６３を通過した微細な水滴（水滴径１０μｍ以下）はＰＴＣヒータ６０により加熱された空気とともに微細水滴発生部吹出口５６より循環送風路４０に吹出され、浴室内循環空気に供給される。
【００８６】
こうして微細水滴を含む加湿空気が供給された循環送風路４０内空気は、更に第一熱交換器４５において冷媒より放熱されることにより、空気が加熱されて吹出口２６から浴室３内に吹出す。このような運転動作を行うことにより高温高湿の空気を吹出すことが可能となり、浴室３内の温度および湿度が上昇することで浴室３内を加湿暖房することができる。
【００８７】
次に浴室３内冷房運転時の動作に関して説明する。冷房運転は、夏場の入浴後のクールダウン等を行う場合に実行する動作である。
【００８８】
その際の風路構成は、図１１に示すように、風路構成ダンパＡ４９を閉鎖、風路構成ダンパＢ５０を開放、風路構成ダンパＣ５１を閉鎖、外装体側吸込部ダンパ３８を開放、外装体側吹出部ダンパ３９を開放で設定することにより、第一熱交換器４５は、循環送風路４０内に配設され、第二熱交換器４７は換気送風路４３内に配設される。ここで、流路切換弁４８の設定を順サイクルから逆サイクルに切り換える。この設定を行うことにより、圧縮機４４で圧縮された高温高圧の冷媒が逆サイクル方向に循環するため、換気用シロッコファン１２を運転することにより換気送風路４３を通過する空気に対して第二熱交換器４７において冷媒が放熱を行い、循環用シロッコファン４２を運転することにより循環送風路４０を介して浴室３内を循環する空気に対して第一熱交換器４５において冷媒が吸熱を行う。この吸熱により空気が冷却されて吹出口２６から浴室３内に吹出す。このような運転動作を行うことにより低温の空気を吹出すことが可能となり、浴室３内の温度が下がるため浴室３内を冷房することができる。
【００８９】
以上、説明した各運転動作において、冷媒が吸熱を行っている熱交換器を空気が通過する際には熱交換器表面に結露した水滴が発生する。つまり、暖房運転、除湿運転時には第二熱交換器４７側に、また除霜運転、冷房運転時には第一熱交換器４５側の表面に結露水５２が発生する。そのため、第一熱交換器４５および第二熱交換器４７の下部には熱交換器表面に結露した水分が滴下した結露水５２を貯留するための貯水部５３が備えられている。装置内において、貯水部５３が高位置に設置されている場合、この貯水部５３に貯留した貯留水６５は、下り勾配を利用して浴室３外へ排水経路６６より排水される。排水経路６６の下り勾配は角度が大きければ大きいほど良いが、望ましくは５°以上の勾配を確保することによって、貯水部５３内の貯留水６５を確実に排水することが可能となる。貯水部５３が高位置に設置できない場合、つまりは第一熱交換器４５もしくは第二熱交換器４７のどちらか一方が高位置に設置できない場合においては、貯水部５３に貯留水６５を排水するための排水用ドレンポンプ６７を設置する。
【００９０】
熱交換器表面に発生した結露水５２が貯水部５３に貯留されるためには、熱交換器から貯水部５３に落下するまでのある程度の時間経過と、表面張力により熱交換器の表面に留まろうとする結露水５２を貯水部５３に導くための空気の流通が必要であり、すなわち運転終了時には相当量の結露水５２が熱交換器表面に残留している。その残留した水分はそのまま放置しておくとカビや雑菌、異臭の発生原となるため熱交換器表面を乾燥させる手段を備える必要がある。以下に熱交換器表面を乾燥させるための送風による装置内乾燥運転時の動作に関して説明する。
【００９１】
図１２（ａ）に示すように、風路構成ダンパＡ４９を開放、風路構成ダンパＢ５０を閉鎖、風路構成ダンパＣ５１を閉鎖、外装体側吸込部ダンパ３８を閉鎖、外装体側吹出部ダンパ３９を開放で設定し換気用シロッコファン１２を運転させると、浴室３内の空気が第二熱交換器４７を介して屋外排気ダクト７より屋外に排気する。また図１２（ｂ）に示すように、風路構成ダンパＡ４９を閉鎖、風路構成ダンパＢ５０を閉鎖、風路構成ダンパＣ５１を閉鎖、外装体側吸込部ダンパ３８を閉鎖、外装体側吹出部ダンパ３９を開放、さらに吹出口ルーバ２８を閉鎖で設定し換気用シロッコファン１２を運転させると、浴室３内の空気が第一熱交換器４５を介して屋外排気ダクト７より屋外に排気する。浴室３が暖房運転後、もしくは除湿運転後等の理由により高温低湿の雰囲気になっている環境においては、このような風路構成とすることで高温低湿の空気が熱交換器内を通過し、乾燥を促進する。また、浴室３内がさほど高温低湿環境でない場合や、浴室３のガラリ等の隙間からの空気の流入を防止したい場合には、図７に記載した様な暖房運転時の風路構成とすることで、換気用シロッコファン１２を運転させると、排気口Ａ８および排気口Ｂ１０から排気ダクトＡ９および排気ダクトＢ１１を通じて脱衣室４およびトイレ５の空気が第二熱交換器４７を介して屋外排気ダクト７を通じて屋外に排出される。
【００９２】
上記した送風による乾燥に加え、熱交換器表面を加熱することで、乾燥時間の短縮が図れ、空気の流入が困難な箇所の乾燥も行うことができる。以下に、その方法に関して説明する。
【００９３】
各運転動作において、熱交換器表面に結露水５２が発生するのは、冷媒回路２１中において冷媒が吸熱を行っている側の熱交換器である。運転終了後に流路切換弁４８の設定を逆側に切り換え圧縮機４４を作動させると、冷媒が吸熱を行っていた側の熱交換器の冷媒が放熱を行うようになり、この熱により熱交換器表面の結露水５２を乾燥させることができる。もしくは冷媒回路２１中の冷媒を膨張させる電子式膨張弁からなる膨張機構４６の弁開度を調節することにより、膨張機構４６通過後の冷媒温度が低温とならない構成とすることで、冷媒が吸熱を行っていた側の熱交換器の冷媒が放熱を行うようになり、この熱により熱交換器表面の結露水５２を乾燥させることができる。また、乾燥対象部近傍に新たな熱源としてヒータを設置する構成とすれば、所望の箇所を任意に乾燥することができるようになるため、熱交換器表面に残存する結露水５２の効率的な乾燥が可能となる。なお、ここでの近傍とはヒータの熱が届く程度の範囲内のことであり、乾燥対象物に対して空気が流通している場合においては、乾燥対象物の上流に設置されることが望ましい。
【００９４】
以上、ここに示した種々の熱交換器表面を加熱する方法を用いると、乾燥時間の短縮を図ることが可能となるが、熱交換器表面にまだ多くの結露水５２が残存している状態においてはまず送風による乾燥で熱交換器表面に残存する結露水５２を減少させ、その後に加熱による乾燥を行うことで、熱交換器表面に結露水５２等の水分が残存する状態を防止し、カビや雑菌、異臭の発生を抑制することと消費電力の削減を図ることが可能となる。
【００９５】
また、装置内乾燥運転開始から一定時間経過後に熱交換器表面が乾燥したか否かの判断は、換気空調装置６内に備えた湿度センサ６８による検知により行うものとし、その制御方法を以下に説明する。
【００９６】
乾燥対象となる熱交換器の上流側および下流側に湿度センサ６８を備える構成を図１３（ａ）に記載する。この構成によると、熱交換器通過前後の空気の湿度を検知し、両者間の湿度の差異が設定範囲内（例えば２％以内）であれば、乾燥対象となる熱交換器は乾燥しているとみなし運転を停止するといった制御方法を用いることができる。
【００９７】
乾燥対象となる熱交換器の下流側に温湿度センサ６９を備える構成を図１３（ｂ）に記載する。この構成によると、熱交換器通過後の空気の温湿度を検知し、その検知した温湿度が予め設定された温湿度のなれば装置内が乾燥しているとみなし運転を停止するといった制御方法を用いることができる。予め設定しておく温湿度としては、空気が乾燥しているとみなす温湿度を空気線図より算出したものを採用することとする。
【００９８】
乾燥対象となる熱交換器の上流側に温湿度センサ６９を備える構成を図１３（ｃ）に記載する。この構成によると、熱交換器通過前の空気の温湿度を検知し、その検知した温湿度の空気を熱交換器に流通させて乾燥させる場合には、どの程度の時間を必要とするのかを予め実験より算出しておき、その条件を設定しておくことで、設定時間運転後には乾燥完了と判断する制御方法を用いることができる。
【００９９】
また、本実施の形態では、各運転動作後の熱交換器表面部に発生した結露水５２を乾燥させる手段として装置内乾燥運転を実施するものとしているが、換気空調装置６は浴室３の天井裏に設置する構成としているため、浴槽への湯張りやシャワー入浴時の蒸気により、装置停止状態においても熱交換器表面に結露水５２が発生する可能性が示唆されるため、装置内乾燥運転は各運転動作後に限定せず、装置停止状態が長期間続いている場合においても一定期間経過時（例えば１週間）には装置内乾燥運転を実行するといった定期的な運転制御や、装置内に設置した湿度センサ６８が予め設定した湿度（例えば９０％）を検知した場合には装置内乾燥運転を実行するといった運転制御を設定することで、熱交換器表面に結露水５２等の水分が残存する状態を防止し、カビや雑菌、異臭の発生を抑制することが可能となる。
【０１００】
以上説明した内容は、発明を実施するための一形態についてのみ説明したものであり、本発明は上記実施の形態に限定されるものではない。
【０１０１】
例えば、上記実施の形態では、空調する室内空間を浴室３とし、排気口を開口した室内空間を脱衣室４およびトイレ５としたが、空調空間および排気口を開口する空間は、居住空間内において区画された空間であれば良く、上記に限定されるものではない。即ち、空調空間をリビング２、排気口を開口する空間を浴室３などに設定しても良い。
【０１０２】
また、上記実施の形態では、排気口を脱衣室４およびトイレ５の２箇所に開口する構成を示したが、排気口を開口位置および数はこれに限定されるものではない。例えばトイレ５等１箇所のみに排気口を開口する構成としても良い。
【０１０３】
また、上記実施の形態では、他室の換気も同時に行う多室換気タイプの構成としたが、対象とする空間（例えば浴室３）のみを換気するタイプであっても問題なく、他室の換気を行うことで吸熱していた構成を浴室３内の循環空気より吸熱する構成に変更することによりその作用効果に差異を生じない。
【０１０４】
また、上記実施の形態では、他室の換気を行うことで吸熱を行い暖房を実施する構成としたが、吸込口２５と第二熱交換器４７を連結する風路を設け、浴室３内から吸引した空気を第二熱交換器４７に通風することで吸熱を行い第一熱交換器４５において放熱を行い浴室内に戻す構成をとしてもその作用効果に際を生じない。
【０１０５】
また、上記実施の形態では、風路構成を変更するためのダンパによる開閉を開放状態と閉鎖状態の２通りのみとしたが、ダンパの開度を調整することで各運転時の風量調整や温度調整が可能となる。
【０１０６】
また、上記実施の形態では、風路構成を変更する手段としてダンパ構造を有するものとしたが、風路を開閉することができればよく、これに限られたものではない。
【０１０７】
また、上記実施の形態では、冷媒回路２１の運転方法を順サイクル運転から逆サイクル運転に切り換えることで除霜運転を行う構成としたが、第二熱交換器４７表面に付着した霜を除去できるのであれば問題なく、第二熱交換器４７表面に湯水を供給する方法や除霜用にヒータを備え付ける方法を用いてもその作用効果に差異を生じない。
【０１０８】
また、上記実施の形態では、上記実施の形態では、圧縮機４４の駆動方式について言及していないが圧縮機４４の駆動方式は駆動周波数一定のものを使用しても駆動周波数可変のものを使用してもよい。
【０１０９】
また、上記実施の形態では、外装体１７、フロントパネル１８および換気ユニット２３と各々が分離した構成としたが、施工性や機能が損なわれないのであれば全てが一体化された構成であっても問題なく、その作用効果に差異を生じない。
【０１１０】
また、上記実施の形態では、シロッコファンを駆動するモータは制御装置２４により回転数を自在に変更可能なモータを用いることとしたが、少なくとも２種類以上の回転数に変更可能であればよく、その作用効果に差異を生じない。なお望ましくは、回転数を線形的に任意の回転数に変化させることが可能なモータであることが好ましい。また、各種設定を変更せずに一定の条件で動作を行う場合においては、一定回転数のみで駆動するモータであっても問題なく、その作用効果に差異を生じない。
【０１１１】
また、上記実施の形態では、送風手段としてシロッコファンを用いたが、風量や消費電力、騒音や振動等の条件を満足するのであればクロスフローファン、ターボファン、プロペラファンなどの別方式のファンであっても問題なく、その作用効果に差異を生じない。
【０１１２】
また、上記実施の形態では、温水を噴霧することにより加湿を行う構成としたが、浴室が狭小（０．５坪程度）でそれほど大量な加湿を必要としない場合においては通常温度（２０℃程度）の水道水などを使用してもその作用効果に差異を生じず、望ましくは浴室の広さや浴室外の温度雰囲気等に応じて浴室内が目的の温湿度となるように噴霧ノズル６１より噴出する加湿水の温度を適宜設定することが望ましい。
【０１１３】
また、上記実施の形態では、気液分離部６３を通過する水滴径を１０μｍ以下としたが、水滴径１００μｍ以下の水滴径であればよく、気液分離部６３を通過し、浴室内に供給される水滴径は入浴者が水滴感を感じることなく入浴できる程度の水滴径であることが望ましく、一般的には１０μｍ以下程度の水滴径とすることでほとんどの人が水滴感を感じることなく入浴を行うことができる。
【０１１４】
また、上記実施の形態では、湿度センサ６８または温湿度センサ６９により熱交換器通過前後の温湿度を検知する制御方法で乾燥状態の判断をする構成としたが、乾燥状態を判断できるのであれば温度のみを検知する方法や、湿度検知用材料を用いた方法を用いても問題は無く、その作用効果に差異を生じない。
【産業上の利用可能性】
【０１１５】
以上のように本発明にかかる換気空調装置は、熱交換器表面に発生した結露水等の水分の残存を防止し、カビや雑菌、異臭の発生を抑制することのものであり、浴室の換気空調のみならず、リビング、寝室、キッチンあるいは洗面所等の換気空調装置などにも適用することができる。
【図面の簡単な説明】
【０１１６】
【図１】本発明の実施の形態１における換気空調装置が設置される移住空間の見取り図
【図２】同換気空調装置の概略構成図
【図３】同換気空調装置のフロントパネル概略図
【図４】同換気空調装置の換気ユニット概略図
【図５】同換気空調装置の風路構成図及び冷媒回路図
【図６】同換気空調装置の換気運転時における風路構成図及び冷媒回路図
【図７】同換気空調装置の暖房運転時における風路構成図及び冷媒回路図
【図８】同換気空調装置の除湿運転時における風路構成図及び冷媒回路図
【図９】同換気空調装置の加湿暖房運転時における風路構成図及び冷媒回路図
【図１０】同換気空調装置の微細水滴発生部概略図
【図１１】同換気空調装置の冷房運転時における風路構成図及び冷媒回路図
【図１２】同換気空調装置の装置内乾燥運転時における風路構成図（（ａ）同第二熱交換器を介した風路構成図、（ｂ）同第一熱交換器を介した風路構成図）
【図１３】同熱交換器に湿度センサ、温湿度センサを設けた構成図（（ａ）同熱交換器の上流側および下流側に湿度センサを設置した構成図、（ｂ）同熱交換器の下流側に温湿度センサを設置した構成図、（ｃ）同熱交換器の上流側に温湿度センサを設置した構成図）
【符号の説明】
【０１１７】
１    居住空間
２    リビング
３    浴室
４    脱衣室
５    トイレ
６    換気空調装置
７    屋外排気ダクト
８    排気口Ａ
９    排気ダクトＡ
１０  排気口Ｂ
１１  排気ダクトＢ
１２  換気用シロッコファン
１３  給気口
１４  空調機
１５  ドアＡ
１６  ドアＢ
１７  外装体
１８  フロントパネル
１９  循環送風経路
２０  換気送風経路
２１  冷媒回路
２２  開口部
２３  換気ユニット
２４  制御装置
２５  吸込口
２６  吹出口
２７  フィルタ
２８  吹出口ルーバ
２９  吹出口ルーバ駆動用モータ
３０  換気ファン駆動用モータ
３１  浴室外側吸込口Ａ
３２  浴室外側吸込口Ｂ
３３  浴室外側吹出口
３４  換気ユニット側吸込口
３５  外装体側吹出口
３６  換気ユニット側吹出口
３７  外装体側吸込口
３８  外装体側吸込部ダンパ
３９  外装体側吹出部ダンパ
４０  循環送風路
４１  循環ファン駆動用モータ
４２  循環用シロッコファン
４３  換気送風路
４４  圧縮機
４５  第一熱交換器
４６  膨張機構
４７  第二熱交換器
４８  流路切換弁
４９  風路構成ダンパＡ
５０  風路構成ダンパＢ
５１  風路構成ダンパＣ
５２  結露水
５３  貯水部
５４  微細水滴発生部
５５  微細水滴発生部吸込口
５６  微細水滴発生部吹出口
５７  微細水滴発生部送風路
５８  微細水滴発生部ファン駆動用モータ
５９  微細水滴発生部シロッコファン
６０  ＰＴＣヒータ
６１  噴霧ノズル
６２  加湿用給水管
６３  気液分離部
６４  余剰水
６５  貯留水
６６  排水経路
６７  排水用ドレンポンプ
６８  湿度センサ
６９  温湿度センサ
【図１】
0005272360.tif 000002
【図２】
0005272360.tif 000003
【図３】
0005272360.tif 000004
【図４】
0005272360.tif 000005
【図５】
0005272360.tif 000006
【図６】
0005272360.tif 000007
【図７】
0005272360.tif 000008
【図８】
0005272360.tif 000009
【図９】
0005272360.tif 000010
【図１０】
0005272360.tif 000011
【図１１】
0005272360.tif 000012
【図１２】
0005272360.tif 000013
【図１３】
0005272360.tif 000014